(57)【要約】【課題】新たな工程を追加することなく電子部品の気密封止の信頼性を向上することができる電子部品用パッケージを提供する。【解決手段】互いに背向する表裏２面を有し、表面に凹設され電子部品が収納される収納凹部１１と、一端が表面の収納凹部１１の外側に開口し他端が裏面に開口した貫通穴であるスルーホール１２と、裏面とスルーホール１２の内側面と収納凹部１１の内側とのそれぞれ少なくとも一部に連続して形成された導電パターン３と、が設けられたベース１と、少なくとも収納凹部１１を気密封止するカバー２とを備える。スルーホール１２が収納凹部１１の内側に開口していないことにより、カバー２のみによって収納凹部１１が気密封止されるから、スルーホール１２の一端が収納凹部１１の内側に開口する場合に比べて気密封止の信頼性が向上する。【選択図】        図１
2004228171.tif 000002
【特許請求の範囲】
【請求項１】
互いに背向する表裏２面を有し、表面に凹設され電子部品が収納される収納凹部と、一端が表面の収納凹部の外側に開口し他端が裏面に開口した貫通穴であるスルーホールと、裏面とスルーホールの内側面と収納凹部の内側とのそれぞれ少なくとも一部に連続して形成された導電パターンと、が設けられたベースと、少なくとも収納凹部を気密封止するカバーとを備えることを特徴とする立体配線基板。
【請求項２】
ベースの表面におけるスルーホールの開口をカバーによって閉塞することを特徴とする請求項１記載の立体配線基板。
【発明の詳細な説明】
【０００１】
【発明の属する技術分野】
本発明は、電子部品を気密封止する立体配線基板に関するものである。
【０００２】
【従来の技術】
従来から、電子部品を保護する構造体であると同時に導電パターンが形成されて配線基板としての機能を有した立体配線基板が提供されている（例えば、特許文献１参照）。この種の立体配線基板として、図４に示すように、互いに背向する表裏２面を有し表面には電子部品（図示せず）が収納される収納凹部１１が設けられたベース１と、矢印Ａ１で示すようにベース１に装着され収納凹部１１を閉塞するカバー２とを備えた立体配線基板が提供されている。収納凹部１１の底部にはスルーホール１２の一端が開口し、スルーホール１２の両側の開口の周縁部とスルーホール１２の内側面とには導電パターン３が形成されている。図５に示すように、ベース１は別の配線基板Ｐに面実装され、スルーホール１２の裏面における開口は別の配線基板Ｐによって閉塞される。ここにおいて、収納凹部１１は、別の配線基板Ｐと導電パターン３とを接続するはんだや、ベース１を配線基板Ｐに接着固定する接着剤Ｂによって気密封止される。収納凹部１１の内側において電子部品を導電パターンに実装しておけば、この電子部品は導電パターン３を介して別の配線基板Ｐに電気的に接続される。このような立体配線基板は、外気から保護する必要のある電子部品を気密封止するために用いられる。
【０００３】
【特許文献１】
特開平８−１２２４４５号公報（第４−５頁、第３図）
【０００４】
【発明が解決しようとする課題】
ここで、従来は、スルーホール１２が収納室１１の内外に連通していたため、スルーホール１２を気密封止するはんだや接着剤に隙間が生じることによって収納室１１の気密性が低下することがあり、気密封止の信頼性が低かった。気密封止の信頼性を向上するには、スルーホール１２に合成樹脂等を充填することが考えられるが、この場合は合成樹脂等を充填する工程を追加する必要があり、コストが増大してしまう。
【０００５】
本発明は上記事由に鑑みてなされたものであり、その目的は、新たな工程を追加することなく、電子部品の気密封止の信頼性を向上することができる立体配線基板を提供することにある。
【０００６】
【課題を解決するための手段】
請求項１の発明は、互いに背向する表裏２面を有し、表面に凹設され電子部品が収納される収納凹部と、一端が表面の収納凹部の外側に開口し他端が裏面に開口した貫通穴であるスルーホールと、裏面とスルーホールの内側面と収納凹部の内側とのそれぞれ少なくとも一部に連続して形成された導電パターンと、が設けられたベースと、少なくとも収納凹部を気密封止するカバーとを備えることを特徴とする。ここで、２つの面が「互いに背向する」とは、２つの面が互いに反対側を向きかつ各面にそれぞれ直交する方向から見て２つの面が少なくとも一部において重なることを指す。
【０００７】
請求項２の発明は、請求項１の発明において、ベースの表面におけるスルーホールの開口をカバーによって閉塞することを特徴とする。
【０００８】
【発明の実施の形態】
以下、本発明の実施の形態を図面に基づいて説明する。
【０００９】
本実施形態は、図１に示すように、互いに背向する表裏２面を有し、表面に凹設され電子部品（図示せず）が収納される収納凹部１１と、一端が表面の収納凹部１１の外側に開口し他端が裏面に開口した貫通穴である２個のスルーホール１２と、裏面とスルーホール１２の内側面と収納凹部１１の内側とのそれぞれ少なくとも一部に連続して形成された導電パターン３と、が設けられたベース１と、少なくとも収納凹部１１を気密封止するカバー２とを備える。
【００１０】
詳しく説明すると、ベース１は直方体形状に形成され、図１における上面である表面には、表面の周縁に沿った矩形状に開口した蓋収納凹部１３が設けられている。収納凹部１１は、蓋収納凹部１３の底面において蓋収納凹部１３の開口に沿った矩形状に開口している。ここで、収納凹部１１の開口の寸法は、縦横ともに蓋収納凹部１３の開口の寸法よりも小さく形成されている。各スルーホール１２は、蓋収納凹部１３の底部であって収納凹部１１の開口から離れた位置において、それぞれ一端が開口している。
【００１１】
カバー２は縦横の長さ寸法がともに収納凹部１１の開口よりも大きくかつ蓋収納凹部１３の開口よりも小さな矩形平板状に形成され、図２に示すようにベース１において蓋収納凹部１３の底部であって収納凹部１１の開口を囲む部位に載置される。
【００１２】
上記構成によれば、スルーホール１２が収納凹部１１の内側に開口していないことにより、カバー２のみによって収納凹部１１が気密封止されるから、スルーホール１２の一端が収納凹部１１の内側に開口する場合に比べて気密封止の信頼性が向上する。
【００１３】
なお、図３に示すように、蓋収納凹部１３の開口の縦横の長さ寸法とカバー２の縦横の長さ寸法とを同程度に形成し、ベース１の表側における各スルーホール１２の開口をカバー２によって閉塞する構成とすれば、導電パターン３をカバー２によって保護することができる。
【００１４】
【発明の効果】
請求項１の発明は、互いに背向する表裏２面を有し、表面に凹設され電子部品が収納される収納凹部と、一端が表面の収納凹部の外側に開口し他端が裏面に開口した貫通穴であるスルーホールと、裏面とスルーホールの内側面と収納凹部の内側とのそれぞれ少なくとも一部に連続して形成された導電パターンと、が設けられたベースと、少なくとも収納凹部を気密封止するカバーとを備えるので、スルーホールが収納凹部の内側に開口していないことにより、カバーのみによって収納凹部が気密封止されるから、スルーホールの一端が収納凹部の内側に開口する場合に比べて気密封止の信頼性が向上する。
【００１５】
請求項２の発明は、請求項１の発明において、ベースの表面におけるスルーホールの開口をカバーにより閉塞するので、導電パターンをカバーによって保護することができる。
【図面の簡単な説明】
【図１】本発明の実施形態を示す斜視図である。
【図２】同上を示す断面図である。
【図３】同上の別の形態を示す断面図である。
【図４】従来例を示す分解斜視図である。
【図５】同上を示す断面図である。
【符号の説明】
１  ベース
２  カバー
３  導電パターン
１１  収納凹部
１２  スルーホール
【図１】
2004228171.tif 000003
【図２】
2004228171.tif 000004
【図３】
2004228171.tif 000005
【図４】
2004228171.tif 000006
【図５】
2004228171.tif 000007